Podtech/llm-jp-corpus-v4-ja_patent huggingface dataset:
(57)【要約】【課題】従来のフロート式キャブレターの手入れは、長期休止後の再始動の際に、フロートチャンバー内や燃料パイプ内に残留した為に変質した燃料の排出を人手に頼っていたために、ほとんど実行されず、実行されたとしても完全に排出されないことがあり、再始動が困難であったり、始動した場合には、吸気バルブガイドなどに変質した燃料のガム状物質が付着して不具合を起こしていた。【解決手段】上記欠点を解消するべく、フロートチャンバー２の底部から通路６でつながったサブチャンバー７に収納された発砲ウレタン又は綿状などで構成する毛細管集合体８を配置することで、先行してくる変質した燃料を優先して吸収固定し、キャブレター本体１に設けられたメインゼット５から吸い上げられる燃料を常に、新鮮な状態に保ち、エンジントラブルを防ぐ。７の先端Ａは防塵できる方法で大気開放とし、８は自然乾燥するのでメンテナンスフリーとなる。【選択図】図１
2005240788.tif 000002
【特許請求の範囲】
【請求項１】
フロート式キャブレターにおいて、そのフロートチャンバー底部から外部に排出する通路を設けその先に毛細管集合体を収納したサブチャンバーを接続したことを特徴とするキャブレター
【発明の詳細な説明】
【技術分野】
【０００１】  本発明は、長期間の休止後のエンジンの再始動を容易にするフロート式キャブレターに関する。
【背景技術】
【０００２】  従来のキャブレターにおいては、配管内やフロートチャンバー内の残存燃料を排出する手段はフロートチャンバー底部にボルトやコック等でふさがれた排出用の通路が設けられ、必要に応じてその都度人手により行われていた。
【発明の開示】
【発明が解決しようとする課題】
【０００３】  従来の方法では、キャブレターの手入れは人手によって排出作業を実行する必要があるが、現実にはほとんど行われていない為に長期間の休止の間に燃料パイプやフロートチャンバー内に残っていた燃料がが変質して次回の始動が困難となる。【０００４】  また、この方法ではフロートチャンバー内の燃料は排出できるが、燃料タンクからキャブレターまでの配管内の燃料は排出されずに残ってしまう欠点がある。【０００５】  本発明は、このような問題点を解決しようとするものであり、運転後や長期休止後の残留燃料を人手によることなく効果的にフロートチャンバー内から排出しエンジンの再始動を容易にするキャブレターを実現することを目的とするものである。
【問題を解決するための手段】
【０００６】  本発明は、上記目的を達成するためにフロート式キャブレター本体、フロートチャンバーとその底部から通路でつながれた毛細管集合体を収納したサブチャンバーを設けて、フロートチャンバー内の残留燃料などを効果的に取りこみ固定する構造としたものである。
【０００７】  上記解決手段による作用は次の通りである。すなわち、先行してフロートチャンバーに送られてくる、燃料パイプ内やフロートチャンバー内で変質した燃料は、フロートチャンバー内にたまることなく底部の通路からサブチャンバーに吸収固定されるため、フロートチャンバー内にあるメインジエットへ吸い上げられる燃料はいつも新鮮な燃料なので、長期間休止した後の再始動が容易となる。
【０００８】  また、燃料に混入している水等の不純物もサブチャンバーに吸収固定され、フロートチャンバー内にとどまることが無いので、フロートチャンバー内は常に清浄な状態が保たれる。
【発明の効果】
【０００９】  前述の通り、本発明のキャブレターは現在のフロート式キャブレターの最大の弱点ともいえる、長期休止後の再始動のトラブルを防いで、メンテナンスの手間が省け、ガム質化した変質燃料を吸入することによるエンジンの吸気バルブとバルブガイドの固着などのトラブルも防げる。
【発明を実施するための最良の形態】
【００１０】  以下、本発明の実施形態を図１に基づいて説明する。【００１１】  図においては、１はキャブレター本体、２はそのフロートチャンバー、３はそのフロート、４はその燃料パイプの接続ジョイント、５はメインジエット、６はフロートチャンバーからサブチャンバー７につながる通路、９はフロートチャンバーのドレン排出用通路の止め栓ボルト、８は７に収納された毛細管集合体で構成され、サブチャンバー７の先端Ａは、ごみが入らないエアークリーナーケース内などに開放するか、先端に防塵キャップを付けて大気開放として８が自然乾燥する構造とする。【００１２】  以下、上記構成の動作を説明する。長期間使用せずに始動した場合に先行して送られてくる前回の停止後に燃料パイプ内に残った為に変質した燃料や、運転停止後にフロートチャンバー２内に残留する燃料や水などの不純物は、必然的にフロートチャンバー底部に設けられた通路６を通ってサブチャンバーに収納された発砲ウレタンや格子状、綿状、針金状、燒結合金などで構成する毛細管集合体８に吸収固定されるので、フロートチャンバー２の中の燃料は新鮮なもののみとなり、再始動の際に変質燃料はメインジエット５からエンジンのシリンダー内には吸入されず、変質燃料が原因によるトラブルを防げる。【００１３】  また、毛細管集合体８に吸収固定された燃料や水などはエンジン停止後に時間をかけて自然蒸発することで毛細管集合体の吸収機能は回復することが出来るので、人手を煩わせることなく常にキャブレターのコンディションが保たれる。
【図面の簡単な説明】
【００１４】
【図１】本発明の実施形態を示すキャブレターの断面図
【符号の説明】
【００１５】１  キャブレター本体
２  フロートチャンバー
３  フロート
４  燃料パイプ接続ジョイント
５  メインジエット
６  ２と７をつなぐ通路
７  サブチャンバー
８  発砲ウレタン、綿状、格子状、針金状、燒結合金で構成された毛細管集合体
【図１】
2005240788.tif 000003
(57)【要約】【課題】            サンルーフ（可動パネル）の開閉をなす駆動機構の平歯車とラックベルトとの噛合部に原因する振動を防止する。【解決手段】        平歯車（１６）の上方に周方向に延在する円周面（１９）を設け、ラックベルト（９，１０）に長手方向に延在する平面（２０，２１）を設け、円周面（１９）と平面（２０，２１）とを常時接触させる。【選択図】          図３
2005240851.tif 000002
【特許請求の範囲】
【請求項１】
動力源からの回転トルクを受け回転する平歯車と、該平歯車と噛合いかつ平歯車の回転により一方向に牽引されるラックベルトとを有し、平歯車がその歯部の上方又は下方に周方向に延在する円周面を有し、ラックベルトが該円周面と接しかつ長手方向に延在する平面を有する駆動機構。
【請求項２】
対のラックベルトが平歯車を介して向かい合う関係に配される請求項１記載の駆動機構。
【請求項３】
ラックベルトが車両の可動パネルに結合される請求項１又は２記載の駆動機構。
【発明の詳細な説明】
【技術分野】
【０００１】
本発明は、平歯車とラックベルトとからなる駆動機構、特に詳述すれば、車両の屋根（ルーフ）に配した可動パネルの開閉に適する車両開閉体の駆動機構に関する。
【背景技術】
【０００２】
平歯車とラックベルトからなる駆動機構を可動パネル（サンルーフともいう）に応用した例は特開２００２−１５４３２８号公報に開示される。
この種の駆動機構は、車幅方向と車両前後方向に一体に延在する対のラックベルトと車幅の中央で該ラックベルトと噛合いかつモータの出力軸と連動する平歯車とからなり、対のラックベルトの両端部をリンク部材とシューを介して可動パネルに結合する構成を有す。
【０００３】
モータへの通電は平歯車を回転させ、該平歯車と噛合う対のラックベルトを一方向に牽引し、可動パネルの開閉を行っている。
【０００４】
【特許文献１】特開２００２−１５４３２８号公報
【発明の開示】
【発明が解決しようとする課題】
【０００５】
ラックベルトと平歯車とを有する駆動機構において、振動が一つの問題となり、防振のためのゴムクッション取付等の対策が種々とられている。本発明者らは防振対策に加えて、振動の原因を探求することで振動レスの駆動機構の提供を試みた。
【０００６】
本発明者らは、駆動機構の平歯車の歯先が、実用される平歯車の径及び歯厚を考慮すると、歯先円というより多角形に歯切りされ、ラックベルトとの噛合いピッチが変動していることに着目した。
さらに、本発明者らは、平歯車及びラックベルトの加工精度のバラツキにより、平歯車及びラックベルトの噛合いピッチが最適な又は許容できる関係から外れ、バックラッシュが好ましい範囲を超えて増大した場合、強い歯当たりのあることに着目した。
【０００７】
本発明は、前述した着目点を基に駆動機構から振動を除く手段を開発することを解決すべき課題とする。
【課題を解決するための手段】
【０００８】
本発明は、前述した課題を解決するために、ラックベルトと平歯車とに両者が常に接する面を作る技術手段を提供する。
この技術手段の提供は、平歯車が回転してもラックベルトとの噛合いピッチは、前述の面にて一定に保たれ、これが振動の問題を解消させる。
【０００９】
本発明によれば、動力源からの回転トルクを受け回転する平歯車と、該平歯車と噛合いかつ平歯車の回転により一方向に索引されるラックベルトとを有し、平歯車がその歯部の上方又は下方に周方向に延在する円周面を有し、ラックベルトが該円周面と接しかつ長手方向に延在する平面を有する駆動機構が提供される。
【００１０】
好ましくは、対のラックベルトが平歯車を介して向かい合う関係に配される。さらに、ラックベルトが車両の可動パネルに結合される。
【発明の効果】
【００１１】
本発明によれば、駆動機構の振動が解消され可動パネルの共振やモータの回転数の周期的変動がなくなる。
さらに、平歯車の歯数を多くする必要もなく、駆動機構のコンパクト化が可能である。さらに、平歯車とラックベルトの加工精度はこれ迄通りで良くこれら部品の加工も容易である。
【発明を実施するための最良の形態】
【００１２】
図１と図２を参照して、本発明の一例の駆動機構１の応用例を説明する。サンルーフを構成する可動パネル２はルーフ開口３を車両の前後方向に移動してルーフ開口を開閉する。
ルーフ開口３の前方部に車幅方向に延在するフロントハウジング４が取り付けられる。フロントハウジング４に設けた上下のホルダー５，６を用い、フロントハウジング４が平面視略Ｕ字状の対の合成樹脂製のケーシング７，８を支持する。
ルーフ開口３の前縁と両側縁に沿うケーシング７，８間にラックベルト９，１０が往復動可能に納められる。
【００１３】
フロントハウジング４に保持される駆動装置１１は、電動モータ１２、制御装置１３、ウォーム歯車１４を有し、駆動機構１は、駆動装置１１と、制御装置１３のためのケース１５に納められる平歯車１６と、平歯車１６と噛合うラックベルト９，１０を有す。
【００１４】
電動モータ１２への通電は、制御装置１３、ウォーム歯車１４、ウォームホイール歯車１７を介して平歯車１６を回転させる。平歯車１６の回転は、これと噛合うラックベルト９，１０を一方向に牽引し、可動パネル２の開閉を行う。図示例では対のラックベルト９，１０を用いたが一本のラックベルトとしても良い。ウォームホイール歯車１７と平歯車１６とは一体に成形され、シャフト１８に回動自在に保持される。シャフト１８はケース１５に固定される。
【００１５】
図３乃至５に示す如く、平歯車１６の上方に周方向に延在する円周面１９を設け、さらに、ラックベルト９，１０にこの円周面１９とケース１５の内面間に挟まれるように配置され、円周面１９と常時接する長手方向に延在する平面２０，２１を設ける。
円周面１９と平面２０，２１の常時接触は、平歯車１６の回転時、ラックベルト９，１０と平歯車１６とを、互いの最良の噛合い位置に保持するようにしたことによって、ピッチを一定に保ち、振動を作らない。更に、ラックベルト９，１０の歯は互いに平面２０，２１によって連結されて補強されているために、ピッチを一定に保つ効果が大きくなる。
【図面の簡単な説明】
【００１６】
【図１】本発明の一例が適用される可動パネルの駆動機構の一部を示す斜視図である。
【図２】可動パネルと駆動機構との組合せを示す断面図である。
【図３】平歯車とラックベルトとの組合せを示す斜視図である。
【図４】本発明の一例の駆動機構の縦断面図である。
【図５】図２の矢視Ｖ−Ｖより見た断面図である。
【符号の説明】
【００１７】
１    駆動機構
２    可動パネル
３    ルーフ開口
４    フロントハウジング
９，１０    ラックベルト
１２    電動モータ
１５    ケース
１６    平歯車
１９    円周面
２０，２１    平面
【図１】
2005240851.tif 000003
【図２】
2005240851.tif 000004
【図３】
2005240851.tif 000005
【図４】
2005240851.tif 000006
【図５】
2005240851.tif 000007
(57)【要約】【課題】小型化、薄型化、低価格化、省エネ化または、運動エネルギーを効率良くまた簡単に電気エネルギーに変換するための、電動機および発電機の単純化。【解決手段】軸受けの誘導体である内輪（または外輪）に複数のコイルを持ち、もう一方の誘導体である外輪（または内輪）に複数の磁石がN極S極と交互に並び、内輪と外輪の間に転動体（ボールまたはころ）と保持機を有する構造であり、内輪（または外輪）の複数のコイルに電圧をかけることによりもう一方の外輪（または内輪）が駆動（回転）する、また、外輪（または内輪）が回転することでもう一方の内輪（または外輪）のコイルに電圧が生じる構造とした。【選択図】図１
2005240875.tif 000002
【特許請求の範囲】
【請求項１】
軸受け（ベアリング）の誘導体である内輪（または外輪）に複数（または単数）のコイル（または電圧をかけることにより磁気を発生させるもの）を持ち、もう一方の誘導体である外輪（または内輪）に複数の磁石が並び、内輪と外輪の間に転動体（ボールまたはころ）と保持機を有する構造であり、内輪（または外輪）の複数のコイル（または電圧をかけることにより磁気を発生させるもの）に電圧をかけることによりもう一方の外輪（または内輪）が駆動（回転）する、また、外輪（または内輪）が回転することでもう一方の内輪（または外輪）のコイル（または磁気をかけることにより電気を発生させるもの）に電圧が生じる、電動機機能および発電機機能を有する軸受け。
上記の外輪、内輪、転動体および保持機は目的および必要に応じ単数または複数の組み合わせを行う。
【発明の詳細な説明】
【技術分野】
【０００１】
本発明は、電動機能および発電機能を有する軸受け
【背景技術】
【０００２】
電動機および発電機の小型化、薄型化、低価格化、省エネ化、および、運動エネルギーを効率良くまた簡単に電気エネルギーに変換することが望まれていた。
【特許文献１】特になし
【非特許文献１】特になし
【発明の開示】
【発明が解決しようとする課題】
【０００３】
解決しようとする問題点は、駆動（回転）させたい回転体の軸受けに電動機能、および、発電機能を持たせることで、電動機の小型化、薄型化、低価格化、省エネ化を可能にする、また、運動エネルギーを効率良くまたは、簡単に電気エネルギーに変換することを可能にする。
【課題を解決するための手段】
【０００４】
軸受けの誘導体である内輪（または外輪）に複数のコイルを持ち、もう一方の誘導体である外輪（または内輪）に複数の磁石がN極S極と交互に並び、内輪と外輪の間に転動体（ボールまたはころ）と保持機を有する構造であり、内輪（または外輪）の複数のコイルに電圧をかけることによりもう一方の外輪（または内輪）が駆動（回転）する、また、外輪（または内輪）が回転することでもう一方の内輪（または外輪）のコイルに電圧が生じる構造とした。
【発明の効果】
【０００５】
本発明の電動機能および発電機能の有する軸受けは、駆動（回転）させたい回転体の軸受けに電動機能、および、発電機能を持たせることで、小型化、薄型化、低価格化、省エネ化および運動エネルギーを効率良くまた簡単に電気エネルギーに変換できるという利点がある。
【発明を実施するための最良の形態】
【０００６】
軸受けの機能を損なわずに、軸受けの機能と電動機能または、軸受けの機能と発電機能を有した軸受けを実現した。
【実施例１】
【０００７】
図１は、本発明装置の１実施例の
【産業上の利用可能性】
【０００８】
小型化、薄型化、低価格化、省エネ化または、運動エネルギーを効率良くまた簡単に電気エネルギーに変換するために、駆動（回転）させたい回転体の軸受けに利用できる。
【図面の簡単な説明】
【０００９】
【図１】電動機能および発電機能を有する軸受けの構造を示した説明図である。（実施例１）
【符号の説明】
【００１０】
１    内輪
２    外輪
３    転動体
４    保持機
５    コイル（または電圧をかけることにより磁気を発生させるもの）
６    磁石（または磁気をかけることにより電気を発生させるもの）
【図１】
2005240875.tif 000003
(57)【要約】【課題】本発明は、従来は化粧落とし及びその後の洗顔時にマイクロファイバーのめがね拭き等の布を利用して使っていたが、使いづらく保管や乾かす時に一工夫する必要があった。【解決の手段】化粧落とし及び洗顔用のミトン型手袋で、手袋本体（１）の内側はマイクロファイバー製の布で、手袋の裏面（２）はメッシュの布で周りをテープ状の布で縫製されており、且つ親指を通す為に輪（３）を設けた洗顔用の手袋。【選択図】図１
2005240254.tif 000002
【特許請求の範囲】
【請求項１】
化粧落とし及び洗顔用のミトン型手袋で、手袋本体（１）の内側はマイクロファイバー製の布で、手袋の裏面（２）はメッシュの布で周りをテープ状の布で縫製されており且つ親指を通す為に輪（３）を設けた洗顔用の手袋。
【発明の詳細な説明】
【技術分野】
【０００１】  本発明は主に化粧を落とすときに使用する洗顔用のミトン型の手袋である。この内側の素材はマイクロファイバーの布を使い、化粧や角質を取りやすくし、外側はメッシュの布を使用して乾燥しやすく作られている。
又親指が入る布製の輪が作られており手袋全体が外れるのを防ぐ役目をしている。
これは洗顔用の手袋に関するものである。
【背景技術】
【０００２】  従来の洗顔用のものは「めがね拭き」に代表されるようなマイクロファイバーの布地だけで利用されていた。
先行技術は特許出願等は見受けられなかった。
【発明の開示】
【発明が解決しようとする課題】
【０００３】  そのためには次のような問題点があった。
（イ）従来のマイクロファイバーの布地のままで洗顔するのは使いにくかった。
（ロ）使用後も布のままですと保管もしにくかった。
（ハ）使用後乾燥させる時に一工夫する必要があった。
本発明は以上の問題点を解決しようとするものである。
【発明が解決するための手段】
【０００４】  マイクロファイバーの素材の布をミトン型に裁断し、それを手のひらに当たる手袋本体（１）の内側と手袋の裏面（２）の外側には乾燥しやすいようにメッシュの布を使用し、周りを布でとめ親指の入る輪（３）を作り、使用時に外れないようにした洗顔用の手袋である。
【発明の効果】
【０００５】  洗顔時に従来のめがね拭きの布からミトン型の物にするに従い手にヒットするので使いやすくなり、親指も輪に通っているので外れにくくなっている。又使用後乾燥させる時にも裏側がメッシュなので乾燥がしやすくなる。
親指を入れる輪の部分が使用後はフックにつるす役割も果たすことが可能。
【発明を実施するための最良の形態】
【０００６】  以下本発明の実施の形態を説明する。
洗顔用手袋の本体（１）の内側をマイクロファイバーの素材にして、手袋の裏面（２）の素材は通気性の良いメッシュの布地を使用し、周りをテープ状の布で止める。
其のテープ状の布で輪（３）を作り親指を通し、使用時に手袋を安定させ、使用後はフックする時に利用する。
【図面の簡単な説明】
【０００７】
【図１】本発明の斜視図である。
【図２】本発明の断面図である。
【図３】本発明の使用状態を示す斜視図である。
【符号の説明】
【０００８】１  手袋の本体
２  手袋の裏面
３  テープ状布の輪
【図１】
2005240254.tif 000003
【図２】
2005240254.tif 000004
【図３】
2005240254.tif 000005
(57)【要約】【課題】  人体の頭部に被る帽子にして通風性が良く、且つ保健上に有効な帽子を提供する。【解決手段】  従来の帽子の内面全体に小形の突起物を多数設けることにより、頭部表面に空隙を形成させ、且つ頭皮を刺激する。【選択図】    図  １
2005240255.tif 000002
【特許請求の範囲】
【請求項１】
人体の頭部に被る帽子の内面に、尖頭を中心に向けた突起物を配列して設けたことを特徴とする帽子。
【発明の詳細な説明】
【技術分野】
【０００１】  本発明は人体の健康保持のため頭部に被る帽子に関するものである。
【背景技術】
【０００２】  従来より頭部に装着して、頭部を冷却し壮快にするものが種々市販されている、また夏期において冷却したタオルを頭部に巻き被覆する方法は一般的に広く使用されている、或いは氷を入れた袋を頭部に乗せる方法も一般に広く使用されている。
【特許文献】  該当する文献は見当たらない。
【非特許文献】  該当する文献は見当たらない。
【発明の開示】
【発明が解決しようとする課題】
【０００３】  従来より一般化された方法として、タオルを冷却して頭部に巻き被覆するとか、氷を入れた袋を頭部に乗せるものは、短時間しか効果がなく取換えに手数を要し不便である、市販されている方式のものには、取換えを要せず、頭部の通風を良くする方式のものも存在するが、健康上に効果を発生するものがなく、その開発が要望されて居た。
【課題を解決するための手段】
【０００４】  本発明は上記問題点を解決するためになされたものであって、帽子の内側の全面に小さな突起状のものを設け、この突起物の先端を頭部に接触させることにより、頭部の皮膚面に空隙を形成させ、空気を流通させることにより頭部の熱上昇を防止する。
帽子内面に設けられる突起物は、ピラミット形状或いは円錐形状等、突起を有するものであれば、どりような形状にても使用し得ることは勿論であり、突起物の材質としては、金属系素材、ブラスチック系素材、セラミック系素材、ゴム系、木竹系等、どのような材質にても可能なことは勿論である。
【発明の効果】
【０００５】  以上のように本発明の帽子は長時間、被って居ても頭部が熱上昇せず壮快である、更に帽子内面に設けられた突起物の先端により頭部の皮膚が刺激されるため、頭部の血行が促進される、また突起物の先端より放出される電子エネルギーが腦細胞を刺激し睡眠を促し記憶力を推進させ、視力、聴力を良くする等、保健面、生活面にも多くの効果が発生する
【発明を実施するための最良の形態】
【０００６】  本発明は人体の頭部に被る帽子の内部の全面に多数の突起物を設ける事により、頭部を壮快にせしめ保健効果を発生する帽子を提供する。
【実施例１】
【０００７】  図１は本発明の一部を切截した斜視図にして、１は本体である、３は本体１の内面であって、この内面３には先端を突起状にした突起物２が、内面３の全面に設けられている。
この突起物２は多数であるため、或る個数をまとめた成型金型にて製造するのが、能率的である、この突起物２の材質としては、金属系、プラスチック系のものが好適であるが、セラミック系、ゴム系、木竹系の素材にても使用可能なことは勿論である。
本発明の帽子を人体の頭部に被せた場合、本体１の内面３には、全面に突起物２が設けられて居るため、その突起物２の先端の突起が頭部の皮膚に接触して、点接触の状態になり、空隙を有した着帽になる、このため頭部の熱が空気流により熱が奪われ、熱の上昇を防止し頭部を壮快にする。
また突起物２の突起部が頭部の皮膚を刺激する事により、頭部の血行を促進させる、更に突起物２の先端の突起より放出する電子エネルギーが脳細胞を刺激し睡眠を促し、記憶力を推進させ、視力、聴力を良くする等、保健面、生活面にも多くの効果を発生させる。【０００８】  図２はピラミット形の突起物４の斜視図であって、図１の突起物２として使用するものである。【０００９】  図３は円錐形の突起物５の斜視図であって、図１の突起物２として使用するものである【００１０】  本発明は、このような実施例に何等限定されるものでなく本発明の要旨を逸脱しない範囲において種々なる態様で実施し得るは勿論である。
【図面の簡単な説明】
【００１１】
【図１】本発明の帽子の一部を切截した斜視図である。
【図２】本発明の帽子の内面に設けられるピラミット形の突起物の斜視図である。
【図３】本発明の帽子の内面に設けられる円錐形の突起物の斜視図である。
【符号の説明】
１  本体
２  突起物
３  内面
４  突起物
５  突起物
【図１】
2005240255.tif 000003
【図２】
2005240255.tif 000004
【図３】
2005240255.tif 000005
(57)【要約】【課題】  鉄骨材に傷を付けず、かつ簡単に吊り上げることができる鉄骨材用吊り治具およびその吊り上げ方法を提供することである。【解決手段】  鉄骨材用吊り治具１は、鉄骨材２のウエブ３に開口した貫通孔４に挿入される吊りボルト５と、該吊りボルト５の両端部にねじ込まれて上部フランジ６を両側面から挟みつける挟持板７とからなり、該挟持板７は上部に玉掛けワイヤー１４が接合され、内側面には滑止シート１２が張り付けられ、吊りボルト５の中央部にはウエブ３が嵌合される振止溝９が形成されたものである。【選択図】図１
2005240296.tif 000002
【特許請求の範囲】
【請求項１】
鉄骨材のウエブに開口した貫通孔に挿入される吊りボルトと、該吊りボルトの両端部にねじ込まれて上部フランジを両側面から挟みつける挟持板とからなり、該挟持板は上部に玉掛けワイヤーが接合され、内側面には滑止シートが張り付けられ、ボルトの中央部にはウエブが嵌合される振止溝が形成されたことを特徴とする鉄骨材用吊り治具。
【請求項２】
挟持板は、内外両面からナットで締め付けられて固定されたことを特徴とする請求項１に記載の鉄骨材用吊り治具。
【請求項３】
鉄骨材のウエブの両端部に開口した貫通孔に吊りボルトを挿入し、該吊りボルトの両端からねじ込んだ挟持板で、上部フランジを両側から挟み込むようにした後、挟持板に玉掛けワイーヤーを接合して吊り上げることを特徴とする鉄骨材の吊り上げ方法。
【発明の詳細な説明】
【技術分野】
【０００１】
本発明は鉄骨材用吊り治具およびその吊り上げ方法に関するものである。
【背景技術】
【０００２】
建築工事において鉄骨材を吊り治具１５で吊り上げるには、図５の（１）に示すように、鉄骨材１６の上部フランジ１７に設置した吊りピース１８にシャックル１９を介して玉掛けワイヤー２０を引っ掛けていた。また、同図の（２）に示すように、鉄骨材１６の上部フランジ１７の端部にクランプ２１を取り付けていた。またその他の吊り治具としては、例えば特開平７−２１７２１６号の発明が知られている。
【特許文献１】特開平７−２１７２１６号公報
【発明の開示】
【発明が解決しようとする課題】
【０００３】
しかし、上記の吊りピースは鉄骨材の吊り上げ後に切断しなければならず、切断後の処理も大変な作業であった。またクランプは上部フランジにクランプ傷が残ってしまうという問題があった。
【０００４】
本発明は上記のような問題に鑑みてなされたものであり、その目的は、鉄骨材に傷を付けず、かつ簡単に吊り上げることができる鉄骨材用吊り治具およびその吊り上げ方法を提供することである。
【課題を解決するための手段】
【０００５】
以上の課題を解決するための鉄骨材用吊り治具は、鉄骨材のウエブに開口した貫通孔に挿入される吊りボルトと、該吊りボルトの両端部にねじ込まれてフランジを両側面から挟みつける挟持板とからなり、該挟持板は上部に玉掛けワイヤーが接合され、内側面には滑止シートが張り付けられ、ボルトの中央部にはウエブが嵌合される振止溝が形成されたことを特徴とする。また挟持板は、内外両面からナットで締め付けられて固定されたことを含むものである。
また鉄骨材の吊り上げ方法は、鉄骨材のウエブの両端部に開口した貫通孔に吊りボルトを挿入し、該吊りボルトの両端からねじ込んだ挟持板で、上部フランジを両側から挟み込むようにした後、挟持板に玉掛けワイーヤーを接合して吊り上げることを特徴とする。
【発明の効果】
【０００６】
鉄骨材を傷付けることなく、かつ簡単に吊り上げることができる。また吊りボルトがウエブの貫通孔に挿入されているため、鉄骨材が落下する危険がない。挟持板は吊りボルトの両側からねじ込むだけなので、鉄骨用吊り治具が鉄骨材に簡単に取り付けられる。
【発明を実施するための最良の形態】
【０００７】
以下、鉄骨材用吊り治具（以下、吊り治具という）およびその吊り上げ方法を図面に基づいて説明する。はじめに吊り治具について説明し、次いで、吊り治具の吊り上げ方法について説明するが、同じ構成は同じ符号を付して説明し、異なった構成は異なった符号を付して説明する。
【０００８】
吊り治具１は、図１および図２に示すように、Ｈ形綱の鉄骨材２の長さ方向の両端部に取り付けられるものであり、ウエブ３の貫通孔４に挿入される吊りボルト５と、該吊りボルト５の両端部にねじ込まれて上部フランジ６を両側面から挟みつける挟持板７とから構成されている。
【０００９】
また吊りボルト５は、貫通孔４に挿入できる径であり、中央部を除いた部分に雌ネジ８が刻まれ、中央部にはウエブ３が嵌合される振止溝９が設けられている。
【００１０】
一方、挟持板７は、上記吊りボルト５の両端部に内外のナット１０、１１で固定されて、上部フランジ６を両側から挟み込むものであり、内側面に滑止シート１２が張り付けられ、上部の掛止孔１３には玉掛けワイヤー１４が掛け止めされている。したがって、鉄骨材２は、ウエブ３と上部フランジ６両端部との３点で支持されているため、安定した吊り上げができる。
【００１１】
図３は、高さの異なる鉄骨材２に吊り治具１を取り付けたものであり、鉄骨材２の高さが異なる以外は、上記の吊り治具１と同じ構成である。
【００１２】
次に、鉄骨材の吊り上げ方法を図４に基づいて説明する。はじめに、（１）に示すように、一端部に一方の挟持板７を固定した吊りボルト５を、ウエブ３の貫通孔４に挿入する。次に、（２）に示すように、挟持板７の滑止シート１２を上部フランジ６の片側面に当接させるとともに、振止溝９にウエブ３を嵌合する。
【００１３】
次に、（３）に示すように、吊りボルト５の他端部から内ナット１０を上部フランジ６の端部までねじ込む。次に、（４）に示すように、他方の挟持板７を吊りボルト５の他端部に取り付けて、外ナット１１で固定すると、上部フランジ６が二枚の挟持板７で挟み付けられて、吊りボルト５がウエブ３に固定される。
【００１４】
次に、二枚の挟持板７の掛止孔１３に玉掛けワイヤー１４を掛け止めして、クレーンで吊り上げると、安定した吊り上げができ、吊り治具１が鉄骨材２から外れないようになっている。
【図面の簡単な説明】
【００１５】
【図１】鉄骨材に取り付けた吊り治具の正面図である。
【図２】鉄骨材に取り付けた吊り治具の側面図である。
【図３】（１）と（２）は高さの異なる鉄骨材に取り付けた吊り治具の正面図である。
【図４】鉄骨材の吊り上げ方法を示す図である。
【図５】（１）および（２）は従来の吊り治具の正面図である。
【符号の説明】
【００１６】
１、１５  吊り治具
２、１６  鉄骨材
３  ウエブ
４  貫通孔
５  吊りボルト
６、１７  上部フランジ
７  挟持板
８  雌ネジ
９  振止溝
１０  内ナット
１１  外ナット
１３  滑止シート
１４、２０  玉掛けワイヤー
１８  吊りピース
１９  シャッフル
２１  クランプ
【図１】
2005240296.tif 000003
【図２】
2005240296.tif 000004
【図３】
2005240296.tif 000005
【図４】
2005240296.tif 000006
【図５】
2005240296.tif 000007
(57)【要約】【課題】  上面の段差部が簡単でかつ精度良く形成できる腰壁の構築方法を提供することである。【解決手段】  腰壁１は、上面の段差部２における起立部３がプレキャストコンクリート部材４で形成されたものである。このプレキャストコンクリート部材４は、適宜長さのコンクリートユニット５を複数接続して形成したものである。【選択図】図１
2005240295.tif 000002
【特許請求の範囲】
【請求項１】
上面が段差部となった腰壁において、前記段差部における起立部がプレキャストコンクリート部材で形成されたことを特徴とする腰壁。
【請求項２】
プレキャストコンクリート部材は適宜長さのコンクリートユニットを複数接続して形成したことを特徴とする請求項１に記載の腰壁。
【請求項３】
プレキャストコンクリート部材の下面には止水板が突設され、該止水板が腰壁のコンクリート内に埋設されたことを特徴とする請求項１または２に記載の腰壁。
【請求項４】
腰壁形成型枠の頂面から僅かに下がった位置を上面としてコンクリートを打設し、該コンクリートが硬化する前に、その上面の一方側にプレキャストコンクリート部材を、腰壁形成型枠の一方の型板に沿わせて設置することを特徴とする腰壁の構築方法。
【発明の詳細な説明】
【技術分野】
【０００１】
本発明は腰壁およびその構築方法に関するものである。
【背景技術】
【０００２】
止水用の起立部１７が形成された腰壁１８は、図５の（１）に示すように、上面に段差部１９が形成されている。この段差部１９は、同図の（２）に示すように、腰壁形成型枠２０の上面中央部に仕切板２１を設置するか、あるいは同図の（３）に示すように、上面の前半部に成型材２２を設置して構築していた。またその他の腰壁としては、例えば特開２００３−２１３８８９号の発明が知られている。
【特許文献１】特開２００３−２１３８８９号公報
【発明の開示】
【発明が解決しようとする課題】
【０００３】
しかし、上記の腰壁の構築方法は、段差部の上面が凹凸になったり、成型材の下面にコンクリートが充填されないという問題があった。
【０００４】
本発明は上記のような問題に鑑みてなされたものであり、その目的は、上面の段差部が簡単でかつ精度良く形成できる腰壁の構築方法を提供することである。
【課題を解決するための手段】
【０００５】
以上の課題を解決するための腰壁は、上面が段差部となった腰壁において、前記段差部における起立部がプレキャストコンクリート部材で形成されたことを特徴とする。またプレキャストコンクリート部材は、適宜長さのコンクリートユニットを接続して形成したことを含む。またプレキャストコンクリート部材の下面には止水板が突設され、該止水板が腰壁のコンクリート内に埋設されたことを含むものである。
また腰壁の構築方法は、腰壁形成型枠の頂面から僅かに下がった位置を上面としてコンクリートを打設し、該コンクリートが硬化する前に、その上面の一方側にプレキャストコンクリート部材を、腰壁形成型枠の一方の型板に沿わせて設置することを特徴とする。
【発明の効果】
【０００６】
プレキャストコンクリート部材で起立部が形成されているため、該起立部の天端面のレベルが確保しやすい。また起立部の仕上げが不要になる。硬化前のコンクリートの上面にプレキャストコンクリート部材を載せるだけで起立部が形成できるので、段差部を簡単かつ精度良く形成することができる。プレキャストコンクリート部材を腰壁形成型枠の一方の型板に沿わせて設置することにより、上面のレベル調整が簡単で精度良く行える。
【発明を実施するための最良の形態】
【０００７】
以下、腰壁およびその構築方法を図面に基づいて説明する。はじめに腰壁について説明し、次いで、腰壁の構築方法について説明するが、同じ構成は同じ符号を付して説明し、異なった構成は異なった符号を付して説明する。
【０００８】
図１〜３は、第１の実施の形態の腰壁１を示したものである。この腰壁１は、図１に示すように、上面に止水用の段差部２が形成されたものであり、この段差部２における起立部３がプレキャストコンクリート部材（以下ＰＣ部材という）４で形成されている。この起立部３は室内側に形成され、断面方形でかつ適宜長さのコンクリートユニット５が複数接合されて形成されている。
【０００９】
これらのコンクリートユニット５は、一方のコンクリートユニット５の接合突起６が、他方のコンクリートユニット５の接合凹部７に嵌合されて接合され、この接合部にはシール材８が充填されている。また起立部３の両端部におけるコンクリートユニット５には、接合突起６または接合凹部７のいずれかが形成されている。
【００１０】
また、各コンクリートユニット５は、図２および３に示すように、下面の止水板９がコンクリート１０内に埋設されて腰壁上面１１に固定され、コンクリートユニット５の接合部において止水板９の端部同士が前後に重なり合って、あたかも一枚の止水板９のようになっている。
【００１１】
図４は、第２の実施の形態の腰壁１２を示したものである。この腰壁１２は、コンクリートユニット５の接合部が相欠継ぎ１３にかわったものであり、これ以外は、上記の第１の実施の形態の腰壁１と同じ構成であり、同じ効果を奏するものである。
【００１２】
次に、腰壁の構築方法を、第１の実施の形態の腰壁１に基づいて説明する。まず、図３に示すように、腰壁形成型枠１４の頂面から僅かに下がった位置を上面として、コンクリート１０を打設する。そして、このコンクリート１０が硬化する前に、その上面の室内側にコンクリートユニット５を、腰壁形成型枠の一方の型板１５に沿わせて設置すると、コンクリートユニット５のレベル調整が簡単かつ精度良くできる。
【００１３】
この設置は、作業者がコンクリートユニット５を持ち、止水板９で未硬化のコンクリート１０をかき分けながら行う。そして、レベルを調整しながらコンクリートユニット５を順次継ぎ足すと、ＰＣ部材４からなる起立部３が形成される。
【００１４】
これらのコンクリートユニット５は、コンクリート１０が硬化すると、止水板９がアンカーとなってコンクリート上面に固定される。そして、このコンクリート１０が硬化した後に、腰壁形成型枠１４を解体すると、段差部２のある腰壁１が構築される。
【００１５】
なお、この構築方法は、第２の実施の形態の腰壁１２を構築する場合も同じ方法で構築する。
【図面の簡単な説明】
【００１６】
【図１】第１の実施の形態の腰壁の斜視図である。
【図２】コンクリートユニットの接合部の平面図である。
【図３】腰壁の構築方法の断面図である。
【図４】第２の実施の形態の腰壁の斜視図である。
【図５】（１）〜（３）は、従来の腰壁の構築方法を示す断面図である。
【符号の説明】
【００１７】
１、１２、１８  腰壁
２、１９  段差部
３、１７  起立部
４  ＰＣ部材
５  コンクリートユニット
６  接合突起
７  接合凹部
８  シール材
９  止水板
１０  コンクリート
１１  腰壁上面
１３  相欠き継ぎ
１４、２０  腰壁形成型枠
１５  型板
２１  仕切板
２２  成型材
【図１】
2005240295.tif 000003
【図２】
2005240295.tif 000004
【図３】
2005240295.tif 000005
【図４】
2005240295.tif 000006
【図５】
2005240295.tif 000007
(57)【要約】【課題】  本発明は、スカートやスラックス等のウエストに平ゴムを通すときに使用する器具である。平ゴムが捩れてしまうのを捩れなくし、平ゴムを器具から外れなくし、平ゴムを器具に通しやすくした、捩れない外れない通しやすい平ゴム通し具。【手段】  枠２（１０）と柄（１１）とをＴ字型に平たく固定して平ゴムを捩れなくする。平ゴム通し穴の幅を捩れては困る平ゴムの５種類の各幅と同幅にして、平ゴム通し穴を三つ、１（１）・２（２）・３（３）設け、平ゴムを順に、平ゴム通し穴１（１）、２（２）、３（３）に通し、最後に１（１）に通すことにより、穴の仕切り部２（６）に設けたギザギザ（７）又は複数の突起（８）によって平ゴムがずれずに、引っ掛けただけの平ゴムを穴の仕切り部１（５）と穴の仕切り枠（４）とで押えることによって、平ゴムを器具から外れなくする。平ゴム通し穴１（１）・２（２）・３（３）の長さを７ｍｍに設定して平ゴムを器具に通しやすくする。【選択図】  図１
2005240264.tif 000002
【特許請求の範囲】
【請求項１】
枠２（１０）と柄（１１）とをＴ字型に平たく固定した、捩れない平ゴム通し具。
【請求項２】
平ゴム通し穴の幅を捩れては困る平ゴムの５種類の各幅、３０ｍｍ、２５ｍｍ、２０ｍｍ、１５ｍｍ、１０ｍｍと同幅にして、平ゴム通し穴を三つ、１（１）・２（２）・３（３）設け、平ゴムを順に、平ゴム通し穴１（１）、２（２）、３（３）に通し、最後に１（１）に通すことにより、穴の仕切り部２（６）に設けたギザギザ（７）で平ゴムをずれなくし、引っ掛けただけの平ゴムを穴の仕切り部１（５）と穴の仕切り枠（４）とで押える、外れない平ゴム通し具。
【請求項３】
穴の仕切り部２（６）に複数の突起（８）を設けた、請求項２記載の外れない平ゴム通し具。
【請求項４】
平ゴム通し穴１（１）・２（２）・３（３）の長さを、平ゴムを器具に通しやすく７ｍｍに設定した、通しやすい平ゴム通し具。
【発明の詳細な説明】
【発明の詳細な説明】
【技術分野】
【０００１】  この発明は、服のウエストに平ゴムを通すときに使用する器具に関するものである。
【背景技術】
【０００２】  従来は二通りあり、一つは、器具を使用しないで、平ゴムを輪にしてウエストの布に入れ、平ゴムを縫わないようにし、平ゴムで布にギャザーがよっているのを縫う部分だけギャザーがよらないようにして５〜６ｃｍずつ縫っている。この方法は、手間がかかり、縫い辛く、編み物は綴じにくく、平ゴムを交換し辛いが、平ゴムは捩れない。
もう一つの方法は、ウエストの布を縫い終わってから、細長い針金状のものを半分に折り曲げた内側に平ゴムを引っ掛けて、服のウエストに平ゴムを通す途中で平ゴムが器具から外れないように縫い止めをして、服のウエストに平ゴムを通し終わってから縫い止めを解いている。この方法だと、平ゴムを交換しやすく、又、どの幅の平ゴムでも共通して使用できるが、平ゴムが捩れてしまい、直しにくく、服のウエストが膨らんでしまい平たくは仕上がらない。この器具はあまり役に立たない。
【発明が解決しようとする課題】
【０００３】  平ゴムを捩れなくし、平ゴムを器具から外れなくし、平ゴムを器具に通しやすくする。
【課題を解決する手段】
【０００４】  枠２（１０）と柄（１１）とをＴ字型に平たく固定することにより、平ゴムを捩れなくする。
平ゴム通し穴の幅を捩れては困る平ゴムの種類分の各幅と同幅にして、平ゴム通し穴を三つ、１（１）・２（２）・３（３）設け、平ゴムを順に、平ゴム通し穴１（１）、平ゴム通し穴２（２）、平ゴム通し穴３（３）に通し、最後に平ゴム通し穴１（１）に通すことにより、穴の仕切り部２（６）に設けたギザギザ（７）又は複数の突起（８）で平ゴムをずれなくすることと、引っ掛けただけの平ゴムを穴の仕切り部１（５）と穴の仕切り枠（４）とで押えることにより、平ゴムを器具から外れなくする。
平ゴム通し穴１（１）・２（２）・３（３）の長さを枠１（９）で７ｍｍに設定することにより、平ゴムを器具に通しやすくする。
本発明を試作してみましたが、自作ではなく、プロに作っていただきたいのです。
【発明を実施するための最良の形態】
【０００５】  以下、発明の実施の形態を説明する。
（イ）平ゴム通し穴を、幅は３０ｍｍ、２５ｍｍ、２０ｍｍ、１５ｍｍ、１０ｍｍの５種類にし、長さは枠１（９）で７ｍｍにして、三つ、１（１）・２（２）・３（）設ける。
（ロ）平ゴム通し穴１（１）・２（２）・３（３）を仕切るのに、穴の仕切り枠（４）、穴の仕切り部１（５）、穴の仕切り部２（６）、枠１（９）、枠２（１０）を設ける。
（ハ）穴の仕切り部２（６）にギザギザ（７）又は複数の突起（８）を設ける。
（ニ）平ゴム通し穴３（３）を構成するうちの一つである枠２（１０）に平ゴムを引っ張る柄（１１）を設け、枠２（１０）と柄（１１）とをＴ字型に平たく固定する。
（ホ）柄（１１）に布内の通りを良くする先端（１２）を設ける。
（ヘ）材質は、先端（１２）をプラスチックにし、先端（１２）以外は金属にする。
本発明は以上の構成よりなる。
本発明の使用方法は、平ゴムを順に、平ゴム通し穴１（１）、２（２）、３（３）に通し、最後に１（１）に通す。このとき、平ゴム通し穴１（１）・２（２）・３（３）の長さを枠１（９）で７ｍｍに設けてあるので平ゴムは通しやすく、枠２（１０）と柄（１１）とはＴ字型に平たく固定してあるので平ゴムは捩れずに、穴の仕切り部２（６）に設けたギザギザ（７）又は複数の突起（８）によって平ゴムがずれなく引っ掛けただけの平ゴムを穴の仕切り部１（５）と穴の仕切り枠（４）とで押えるので平ゴムを器具から外れなくしている。
【発明の効果】
【０００６】  本発明を使用することにより、平ゴムを器具に通すのが楽で、平ゴムが器具から外れることなく、平ゴムが捩れずに服のウエストに平たく従来よりも早く通すことができる。
【図面の簡単な説明】
【図１】本発明の正面図
【図２】本発明の側面図
【図３】本発明の正面図
【符号の説明】
（１）平ゴム通し穴１、（２）平ゴム通し穴２、（３）平ゴム通し穴３、（４）穴の仕切り枠、（５）穴の仕切り部１、（６）穴の仕切り部２、（７）ギザギザ、（８）複数の突起、（９）枠１、（１０）枠２、（１１）柄、（１２）先端
【図１】
2005240264.tif 000003
【図２】
2005240264.tif 000004
【図３】
2005240264.tif 000005
(57)【要約】      （修正有）【課題】花の香りは人に安らぎを与え、ストレス緩和の効果あり、又、冠婚葬祭の儀式、その他その場に適した花、臭いを造花、造木にも付けることが合理的である。香りのある花、木、石、樹脂、ゴム等を適時提供する。【解決手段】あらゆる成形品で空隙のあるもののポーラス部に粉、液体、香料を含浸してなる香具、及び補助安置具。【選択図】なし【特許請求の範囲】
【請求項１】
不燃布、ゴム、樹脂及び石、セラミック等、スポンジ状の中に目的に合わせ選択した香料１〜５０％ＷＴを含浸した傘付きのビーズ、筒及び棒を花の大畧中心に突き刺し、固定した香りのでる飾り用香具。造花、及び花瓶等容器の中に花を固定できる５ヶ所以下孔を有するゴム・樹脂及びバネ性を有する金属製等の４羽式道具。更に造花を口元大の花瓶容器に安定置のため茎に４本茎を接合又は、同時成型して成る造花。
また、香具は上記スポンジ等の他に麦穂、稲穂等、穀物類の実除去乾燥穂に香料を含浸し使用する。これは、鳥等の動物に取られる心配のない場所に設ける造生花用として広く採用。
【発明の詳細な説明】
【発明の詳細な説明】
【産業上の利用分野】
【０００１】木花の香りを冠婚葬祭の際に神仏に捧げ、及び人の集まるホテル等の美術文化の産業に関する。
【背景技術】
【０００２】従来、造花に香料をスプレイしたり、塗装したりしたものはあった。
【発明が解決しようとする課題】
【０００３】
【課題を解決するための手段】
【０００４】  １）風雨の中でも水の浸入を防ぎ、風の中でも飛散しない固定可能な傘付きチューブ方式道具にする。
２）容器の形状寸法が多少の変化に対処できるよう剣山の役目をする弾力性を持つ５孔４羽式「受け具」を発明する。
【作用】
【０００５】上記の通り構成された花は、次の作用をする。
１）香具の中に含浸した香料は、各々その場所でここちよい香りを発散する。
２）雨水等の侵入がないため香料のでる期間が長く、１日〜６０日保つ。
３）適所に固定できる受け具の作用で幹の固定が確実になり、散乱したり傾斜を防ぐ。又５個孔分は偏芯容器でも自由にできる。
【実施例】
【０００６】図１は、天然ゴム、スポンジ管に芳香用香料線香ＭＦ−５０１３１号液を５ｇ含浸し、茎に差し込み天然ゴムキャップをかぶせ茎に固定したもの。香料に麝香（じゃこう）を使い墓用とした。約１０ｇ２０Ｌスポンジに香料５ｇ含浸。ゴムキャップ傘で茎の先端を挟み込む。
図２は、花瓶の中に入れ口元大の容器でも花が大傾斜しないように発明した生花の剣山に代わるものとして造花用とした。中央部の１ヶ所に安置させる。天然ゴム硬度８０Ｈで４枚羽式にし、大小容器に対処し得る。
図３は、造花の茎部に約２φ×８０Ｌの同質材で４本設けたもの。大口元径の容器にも安置できる。
【発明の効果】
【０００７】  実施例にも述べた通り、造花木にもその場にふさわしい香りを付け、生花に対し自由に、香度も香種も期間も調整し花を生ける幸せを味わう効果を生む。特に葬儀では線香の臭いを！！又、ホテル玄関では飾られたその花の匂いを！！子供の勉強部屋には頭が冴える花の匂いを！！各々採用できる。花を支える部分を安定安置させるのは花道の精神にも匹敵する。
【図面の簡単な説明】
【図１】本発明の花の茎上部中心に突起を設け、香具を取付けした正面図。
【図２】本発明の茎安置４羽式１孔固定具の平面図。
【図３】造花の茎部に４本茎を追加加工成型し、１本化した茎部の正面図。
【図１】
2005240261.tif 000002
【図２】
2005240261.tif 000003
【図３】
2005240261.tif 000004
(57)【要約】【課題】耐力要素としての金属板とパネルフレームとを備えた耐力壁パネルを容易に製作できるようにする。【解決手段】耐力要素としての金属板４と、パネルフレーム５とを備えた耐力壁パネル１において、パネルフレーム５と金属板４とが、板曲げ加工の一体成形品７の部分として備えられている。【選択図】      図１
2005240436.tif 000002
【特許請求の範囲】
【請求項１】
耐力要素としての金属板と、パネルフレームとを備えた耐力壁パネルにおいて、
前記パネルフレームと金属板とが、板曲げ加工の一体成形品の部分として備えられていることを特徴とする建築用の耐力壁パネル。
【発明の詳細な説明】
【技術分野】
【０００１】
本発明は、建築用の耐力壁パネルに関する。
【背景技術】
【０００２】
住宅、事務所、店舗等の建物に用いられる建築用の耐力壁パネルとして、例えば有孔鋼板等の金属板を耐力要素とし、該金属板をパネルフレームにビスで接合して取り付けたものが提供されている。
【特許文献１】特開２００２−８１１５４
【発明の開示】
【発明が解決しようとする課題】
【０００３】
しかしながら、上記のような耐力壁パネルでは、金属板の製作とパネルフレームの製作とを別々に行わなければならず、しかも、金属板とパネルフレームの接合のために多数本のビスを打っていかなければならず、耐力壁パネルの製作に多くの手間を要するいう問題があった。
【０００４】
本発明は、上記のような問題点に鑑み、耐力要素としての金属板とパネルフレームとを備えた耐力壁パネルを容易に製作できるようにすることを課題とする。
【課題を解決するための手段】
【０００５】
上記の課題は、耐力要素としての金属板と、パネルフレームとを備えた耐力壁パネルにおいて、
前記パネルフレームと金属板とが、板曲げ加工の一体成形品の部分として備えられていることを特徴とする建築用の耐力壁パネルによって解決される。
【０００６】
この耐力壁パネルでは、パネルフレームと金属板とが、板曲げ加工の一体成形品の部分として備えられているので、この一体成形品を板曲げ加工により製作することで、金属板とパネルフレームとを備えた耐力壁パネルを得ることができ、従って、従来のように、金属板とパネルフレームとをそれぞれ別々に製作する必要はないし、金属板とパネルフレームとの接合のために多数本のビスを打っていく必要もなく、耐力要素としての金属板とパネルフレームとを備えた耐力壁パネルを容易に製作することができる。
【発明の効果】
【０００７】
本発明は、以上のとおりのものであるから、耐力要素としての金属板とパネルフレームとを備えた耐力壁パネルを容易に製作することできる。
【発明を実施するための最良の形態】
【０００８】
次に、本発明の実施最良形態を図面に基づいて説明する。
【０００９】
図１〜図３に示す実施形態において、１は耐力壁パネルであり、該耐力壁パネル１は、住宅用、事務所用、店舗用等の鉄骨造建物において、図３に示すように、例えば、基礎２と階間の梁３とに渡すように建物に組み込まれて用いられるもので、耐力要素としての金属板４と、パネルフレーム５とを備えている。
【００１０】
金属板４は、板面内に多数の丸孔６…が分散状態に備えられた方形状の有孔鋼板からなり、丸孔６…でエネルギーの吸収を行いながらせん断耐力で水平力に耐えるものである。パネルフレーム５は、金属板４の上下に備えられる上枠５ａと下枠５ｂ、及び、金属板４の両側部に備えられる左右の側枠５ｃ，５ｃで構成されている。
【００１１】
そして、上記の耐力壁パネル１において、パネルフレーム５と金属板４とは、板曲げ加工の一体成形品７の部分として備えられている。即ち、この一体成形品７は、素板に切断加工を施すことで、図２（イ）に示すように、金属板部分８ａの各辺部にパネルフレーム部分形成用の平板部８ｂ…を外方延出状態に一体に備えた平面十字状の鋼板８を製作し、しかる後、この十字状鋼板８の外方延出平板部８ｂ…をそれぞれ、図２（ロ）（ハ）に示すように、断面方形環状に板曲げ加工し、それをパネルフレーム５の左右の側枠部５ｃ，５ｃと上枠部５ａ、下枠部５ｂにしたものである。
【００１２】
上記の耐力壁パネル１では、パネルフレーム５と金属板４とが、板曲げ加工の一体成形品７の部分として備えられているので、この一体成形品７を板曲げ加工により製作することで、金属板４とパネルフレーム５とを備えた耐力壁パネル１を得ることができ、従って、従来のように、金属板とパネルフレームとをそれぞれ別々に製作する必要はないし、金属板とパネルフレームとの接合のために多数本のビスを打っていく必要もなく、耐力要素としての金属板とパネルフレームとを備えた耐力壁パネルを容易に製作することができる。
【００１３】
以上に、本発明の実施形態を示したが、本発明はこれに限られるものではなく、発明思想を逸脱しない範囲で各種の変更が可能である。例えば、本発明の耐力壁パネルでは、耐力要素としての金属板に備えさせるエネルギー吸収用の孔の形態や数、配置に制限はなく、また、金属板は、孔の明けられていない無孔板からなっていてもよく、更に、パネルフレームを構成する枠の形態や配置にも制限はない。また、金属板やパネルフレームの材質にも制限はなく、耐力壁としての機能を発現することができ、かつ、板曲げ加工が可能な各種金属からなっていてよい。
【図面の簡単な説明】
【００１４】
【図１】実施形態の耐力壁パネルを示すもので、図（イ）は斜視図、図（ロ）は図（イ）のＩ−Ｉ線断面図である。
【図２】図（イ）は板曲げ加工に用いられ十字状の鋼板の平面図、図（ロ）は板曲げ加工の工程の一例を示す鋼板の平面図、図（ハ）は一体成形品の平面図である。
【図３】建物と耐力壁との関係を示す斜視図である。
【符号の説明】
【００１５】
１…耐力壁パネル
４…金属板
５…パネルフレーム
７…一体成形品
８…十字状鋼板
８ａ…金属板部分
８ｂ…外方延長板部
【図１】
2005240436.tif 000003
【図２】
2005240436.tif 000004
【図３】
2005240436.tif 000005